(57)【要約】【課題】  携帯電話機を用いてクレジット決済を行なう利用者が、決済完了したことを携帯電話機の表示を見みなくても確認可能とした携帯電話機及び携帯電話機を利用したクレジット決済完了確認システムを提供する。【解決手段】  少なくとも音声発生手段及び発光手段とを有する携帯電話機と、クレジット決済処理を行なう電子決済通信端末とからなり、該電子決済通信端末におけるクレジット決済時に、クレジット決済が完了したことを確認可能としたシステムであって、前記電子決済通信端末は、クレジット決済処理が完了した際に前記携帯電話機に対して決済完了を示す信号を送信する手段を有し、前記携帯電話機は、前記信号を受信した際に、前記音声発生手段から音の発生を行なわせる手段、又は前記発光手段から光の発光を行なわせる手段が備えられている。【選択図】        図1
2006091999.tif 000002
【特許請求の範囲】
【請求項１】
電子決済通信端末と送受信を行なう送受信手段と、
音声を発生する音声発生手段と、
光の発光を行なう発光手段と、
前記電子決済通信端末からクレジット決済処理が完了したことを示す処理完了信号を受信したことを受けて、前記音声発生手段から音の発生、又は前記発光手段から光の発光を行なわせるように制御する手段と、
を有することを特徴とする携帯電話機。
【請求項２】
前記請求項１記載の携帯電話機であって、
使用するクレジットカードの種類に応じてクレジット処理を行なうクレジットアプリケーションプログラムと、クレジットカードの種類に応じて発生させるメロディとを記憶させた記憶手段と、前記処理完了信号を受信したことを受けて、使用したクレジットカードの種類に応じたメロディを発生させる手段とを有することを特徴とする携帯電話機。
【請求項３】
少なくとも音声発生手段及び発光手段とを有する携帯電話機と、クレジット決済処理を行なう電子決済通信端末とからなり、該電子決済通信端末におけるクレジット決済時に、クレジット決済が完了したことを確認可能とした携帯電話機によるクレジット決済完了確認システムであって、
前記電子決済通信端末は、クレジット決済処理が完了した際に前記携帯電話機に対して決済完了を示す信号を送信する手段を有し、
前記携帯電話機は、前記信号を受信した際に、前記音声発生手段から音の発生を行なわせる手段、又は前記発光手段から光の発光を行なわせる手段が備えられていることを特徴とする携帯電話機によるクレジット決済完了確認システム。
【請求項４】
前記請求項３記載の携帯電話機によるクレジット決済完了確認システムにおいて、
前記携帯電話機は、クレジットカードの種類毎に異なるメロディが関係付けられて記憶された記憶手段と、前記信号を受信した際に、前記記憶手段に記憶されたメロディの中から、クレジット決済処理を行なったクレジットカードに関係付けられて記憶されているメロディを選択して、前記音声発生手段により前記選択されたメロディの発生を行なわせる手段とを有することを特徴とする携帯電話機によるクレジット決済完了確認システム。
【発明の詳細な説明】
【技術分野】
【０００１】
本発明は、クレジットカード情報が記憶された記憶媒体を備えた携帯電話機と、前記携帯電話機と送受信を行ない前記携帯電話機からクレジットカード情報を受信して、クレジット決済処理を行なう電子決済通信端末とからなる携帯電話機を利用したクレジット決済完了確認システムに関する。
【背景技術】
【０００２】
従来、店舗などで顧客が代金の支払いを行なう際に、クレジットカードを使用してクレジット決済を行なう場合がある。
通常、これらのクレジット決済では、顧客が所持するクレジットカードに基づいて行なわれるが、近年、クレジットカードに記憶された情報を、携帯電話機に装着する記憶媒体に記憶させることで、携帯電話機と店舗のレジに備えられた電子決済通信端末との通信によりクレジット決済を行なう仕組みが公知となっている。（例えば、特許文献１、参照）
【特許文献１】特開２００２−２６９４８５号公報
【０００３】
これらの携帯電話機を用いたクレジット決済では、携帯電話機と電子決済通信端末との間で非接触により送受信が行なわれ、効率的であるものの、顧客が何時の時点において、クレジット決済処理が完了されたのかについて確認しにくいという問題がある。
このために、携帯電話機の操作に不慣れな顧客や、老人や身体障害者などが、操作を誤って携帯電話機でクレジット決済をしてしまったり、他人に騙されて携帯電話機によりクレジット決済をしてしまう危険性もあり、その場合でも顧客自身が、クレジット決済が行なわれたことがわからないということも予想できる。
【０００４】
更に、顧客が複数のクレジット会社と取り引きできるように、携帯電話機に装着させる記憶媒体に、複数の異なるクレジット会社のクレジットアプリケーションプログラムを搭載させている場合などでは、顧客がクレジット決済を行なう際に、操作ミスなどにより自分が利用しようと思っていたクレジット会社と異なるクレジット会社のクレジットアプリケーションプログラムを作動させ、自分が取り引きを意図しているクレジット会社と異なるクレジット会社との間でクレジット決済を行なってしまうことも考えられるという問題がある。
【０００５】
いずれにしても、クレジットカードを使用したクレジット決済では、顧客自身がクレジットカードを使用する際にクレジットカードを確認しやすいので、たとえ複数枚のクレジットカードを所持していても使用を間違えることが少ないが、携帯電話機を用いたクレジット決済では、表示画面に映し出された選択表示の中から入力ボタンなどの操作により、利用するクレジット会社の選択指示情報の入力を行なうので、操作ミスなども起こしやすく、取り引きミスによる事故も発生しやすいという問題がある。
【発明の開示】
【発明が解決しようとする課題】
【０００６】
本発明は、クレジット処理機能を有する携帯電話機を用いてクレジット決済を行なう利用者が、店舗などでクレジット決済を行なう際に、クレジット決済が完了したことを携帯電話機の表示を見て確認しなくても、容易に確認できるようにすることで利用者の利便性を高め、更にクレジット決済を行なったクレジット会社やクレジットのグレードを簡単に識別できるようにすることで、利用したクレジットに間違いがなかったか否かを容易に確認できるようにして、携帯電話機を用いたクレジットの利用を安全確実に行なえるようにした携帯電話機及び携帯電話機を利用したクレジット決済完了確認システムを提供する。
【課題を解決するための手段】
【０００７】
本発明の携帯電話機は、電子決済通信端末と送受信を行なう送受信手段と、音声を発生する音声発生手段と、光の発光を行なう発光手段と、前記電子決済通信端末からクレジット決済処理が完了したことを示す処理完了信号を受信したことを受けて、前記音声発生手段から音の発生、又は前記発光手段から光の発光を行なわせるように制御する手段と、を有することを特徴とする。
【０００８】
また、本発明の携帯電話機は、使用するクレジットカードの種類に応じてクレジット処理を行なうクレジットアプリケーションプログラムと、クレジットカードの種類に応じて発生させるメロディとを記憶させた記憶手段と、前記処理完了信号を受信したことを受けて、使用したクレジットカードの種類に応じたメロディを発生させる手段とを有することを特徴とする。
【０００９】
また、携帯電話機によるクレジット決済完了確認システムは、少なくとも音声発生手段及び発光手段とを有する携帯電話機と、クレジット決済処理を行なう電子決済通信端末とからなり、該電子決済通信端末におけるクレジット決済時に、クレジット決済が完了したことを確認可能とした携帯電話機によるクレジット決済完了確認システムであって、前記電子決済通信端末は、クレジット決済処理が完了した際に前記携帯電話機に対して決済完了を示す信号を送信する手段を有し、前記携帯電話機は、前記信号を受信した際に、前記音声発生手段から音の発生を行なわせる手段、又は前記発光手段から光の発光を行なわせる手段が備えられていることを特徴とする。
【００１０】
更に、携帯電話機によるクレジット決済完了確認システムは、前記携帯電話機は、クレジットカードの種類毎に異なるメロディが関係付けられて記憶された記憶手段と、前記信号を受信した際に、前記記憶手段に記憶されたメロディの中から、クレジット決済処理を行なったクレジットカードに関係付けられて記憶されているメロディを選択して、前記音声発生手段により前記選択されたメロディの発生を行なわせる手段とを有することを特徴とする。
【発明の効果】
【００１１】
本発明の携帯電話機は、クレジット決済処理が完了した際に音の発生、又は発光が行なわれるので、利用者が、クレジット決済が完了したことを携帯電話機の表示を見ないでも簡単に確認することができ利便性があるという効果がある。
【００１２】
更に、本発明の携帯電話機は、クレジット決済処理が完了した際に発生するメロディの種類により、使用したクレジットカードの種類の確認を行なうことができるので、間違えてクレジットカードの使用を行った場合でも、その場で直ぐに間違えに気がつくことができ、訂正などの処置を行なうことができるという効果がある。
【００１３】
また、携帯電話機によるクレジット決済完了確認システムは、クレジット決済処理が完了した際に電子決済通信端末から携帯電話機に対して決済完了を示す信号が送信されて、携帯電話機から音の発生、又は発光が行なわれるので、利用者が、クレジット決済が完了したことを携帯電話機の表示を見ないでも簡単に確認することができ利便性があるという効果がある。
【００１４】
また、携帯電話機によるクレジット決済完了確認システムは、クレジット決済処理を行なったクレジットカード毎に異なるメロディが発生されるので、メロディを聞くだけで自分が利用したクレジットカードの会社やグレードの確認を行なうことができるという効果がある。
【発明を実施するための最良の形態】
【００１５】
以下、本発明の実施の形態を図面に基づいて詳細に説明する。
図１は、本発明の実施形態に係る携帯電話機を利用したクレジット決済完了確認システムの概要を示す図、図２は、本発明の実施形態に係る携帯電話機を利用したクレジット決済完了確認システムのシステムブロックを示す図、図３は、本発明の実施形態に係る携帯電話機を利用したクレジット決済完了確認システムに用いるＩＣカードの記憶データを示す図、図４は、本発明の実施形態に係る携帯電話機を利用したクレジット決済完了確認システムの処理手順を示すフローチャートである。
【００１６】
図１に示すように、本発明の実施形態に係る携帯電話機を利用したクレジット決済完了確認システムは、クレジットの利用者が所有する携帯電話機１と、クレジット決済処理を行なう電子決済通信端末２、電子決済通信端末２と通信回線５を介して通信を行うクレジット会社サーバ３とを有している。
携帯電話機１は、クレジットカードである小型のＩＣカード４を着脱可能に装着できるようになっていて、このＩＣカード４を携帯電話機１に装着することで、携帯電話機１によるクレジット処理を行なえるようにしてある。
電子決済通信端末２は、店舗のレジなどに備えられ、顧客が代金の支払いを現金で行なう場合でも、またクレジットでの決済を行なう場合でも対応可能に構成されている。
【００１７】
また、携帯電話機１と電子決済通信端末２とには、それぞれ赤外線や無線通信などの送受信手段１１が設けられていて、携帯電話機１と電子決済通信端末２との間での情報の送受信を非接触で行なえるように構成されている。
したがって、利用者が携帯電話機１を利用したクレジット決済を望む場合には、店舗のレジなどで気軽にクレジットの利用ができるようにしてある。
そして、利用者が携帯電話機１を利用したクレジット決済を行なった場合には、それらの情報は、通信回線５を介してクレジット会社サーバ３に送信したり、また与信情報を受信できるようにしてある。
【００１８】
次に、図２に基づいて、本発明の実施形態に係る携帯電話機を利用したクレジット決済完了確認システムのシステム構成を説明する。
まず、携帯電話機１には、ディスプレイからなる表示手段６、マイクからなる音声入力手段７、スピーカからなる音声発生手段８、ランプからなる発光手段９、操作手段１０、送受信手段１１、インターフェース１２、記憶手段１３、電池１４、無線通信手段１５、制御手段１６などが備えられている。
インターフェース１２は、携帯電話機１に装着されたＩＣカード４のインターフェース１７との間で送受信を行なう。
【００１９】
また、携帯電話機１には、インターフェース１７、制御手段１８、記憶手段１９などが備えられている。
携帯電話機１の記憶手段１９には、予めクレジット番号２２、クレジットアプリケーションプログラム２０、メロディデータ２１が登録されている。
クレジットアプリケーションプログラムは、クレジット決済を行なう際に必要なプログラムであり、クレジット会社毎に異なるプログラムである。
このクレジットアプリケーションプログラムは、１枚のＩＣカード４に複数の異なるクレジット会社用のクレジットアプリケーションプログラムを登録させておくことで、１枚のＩＣカード４を携帯電話機１に装着させておくことで、複数のクレジット会社の中から利用者が選択したクレジット会社のクレジット決済を行なうことができる。
【００２０】
また、図３に示すように、ＩＣカード４の記憶手段１９には、クレジット番号とクレジットアプリケーションプログラムとメロディデータとが関係付けられて登録されている。
つまり、例えば図３におけるクレジットアプリケーションプログラムＡを使用してクレジット決済を行った場合には、決済が完了した際にメロディデータＰが音声発生手段８から発生して流れるようにしてある。
利用者は、携帯電話機１を操作することで、記憶手段１９に記憶されているメロディデータに基づいて、いつでも自由に音声発生手段８からメロディの発生を行なえる状態になっていて、予め記憶手段１９に記憶されている種々のメロディデータについて、どのメロディがどのクレジット会社を示すメロディであるのか、またクレジットカードのグレードが何であるのかを知ることができる。
【００２１】
また、電子決済通信端末２には、表示手段２３、通信手段２４、入力手段２５、記憶手段２６、クレジット処理完了信号送信制御手段２７、送受信手段２８、クレジット処理手段２９、制御手段３０などが備えられている。
クレジット処理手段２９は、携帯電話機１からクレジットアプリケーションプログラムに基づいた情報を受信した際に、クレジットの処理を行なう機能を有している。
また、クレジット処理完了信号送信制御手段２７は、電子決済通信端末２においてクレジットの処理が完了した際に、電子決済通信端末２から携帯電話機１に対してクレジットの処理が完了したことを示す信号を送信させる機能を有している。
【００２２】
更に、携帯電話機１の記憶手段１３には、電子決済通信端末２からクレジット処理完了を示す信号を受信した際に、発光手段９により光の発光を行なわせ、また、ＩＣカード４の記憶手段１９に記憶されているメロディデータの中から、使用したクレジットアプリケーションプログラムと関係付けられて登録されているメロディデータを選択して、音声発生手段８から音声の発生を行なわせるプログラムが搭載されている。
これにより、携帯電話機１は、電子決済通信端末２からの信号を受信することで、光の発光や、メロディの発生により利用者に対して、クレジット処理が完了したことを知らせることができるようにしてある。
また、利用者は、メロディがどのような曲であるのかを聞き分けることで、自分が使用したクレジットカードの会社やそのカードのグレードを認識することができる。
【００２３】
次に、本発明の実施形態に係る携帯電話機を利用したクレジット決済完了確認システムの処理手順を、図４のフローチャートに基づいて説明する。
まず、利用者は、商品代金の支払いを行なう際に、クレジットカードである小型のＩＣカード４を装着させた携帯電話機１を持ってレジカウンターに行き、携帯電話機１の操作手段１０からクレジット処理を選択する指示情報の入力を行う。（ステップＳ１）
【００２４】
これにより、携帯電話機１の表示手段６には、使用可能なクレジットカードの種類と、使用するクレジットカードの選択表示が現れ、利用者は、自分が使用するクレジットカードの選択情報の入力を行なう。（ステップＳ２）
携帯電話機１は、装着されているＩＣカード４に対して選択情報を送り、ＩＣカード４で選択されたクレジットアプリケーションプログラムが作動する。（ステップＳ３）
【００２５】
これにより、選択されたクレジットアプリケーションプログラムに基づいた処理が行なわれ、電子決済通信端末２によるクレジット決済が完了した際に、電子決済通信端末２から携帯電話機１に対して、クレジット決済完了信号の送信が行なわれる。（ステップＳ４）
クレジット決済完了信号を受信した携帯電話機１は、発光手段９から光の発光や光の点滅を行なうことで、クレジット決済が完了したことを知らせると共に、更に、ＩＣカード４の記憶手段１９に記憶されているメロディの中から、使用されたクレジットアプリケーションプログラムに関係付けられて登録されているメロディ情報を抽出して、携帯電話機１に送り、音声発生手段７によりそのメロディの音声を発生させる。（ステップＳ５）
【００２６】
以上の処理により、利用者は、携帯電話機１を用いてクレジットの処理を行った場合に、光の発光や音声の発生によりクレジット決済が完了したことを確認することができる。
更に、携帯電話機１から発生されたメロディのを聞き分けることで、そのメロディの曲から使用したクレジット会社や、クレジットカードのグレードを識別することができる。
【図面の簡単な説明】
【００２７】
【図１】本発明の実施形態に係る携帯電話機を利用したクレジット決済完了確認システムの概要を示す図である。
【図２】本発明の実施形態に係る携帯電話機を利用したクレジット決済完了確認システムのシステムブロックを示す図である。
【図３】本発明の実施形態に係る携帯電話機を利用したクレジット決済完了確認システムに用いるＩＣカードの記憶データを示す図である。
【図４】本発明の実施形態に係る携帯電話機を利用したクレジット決済完了確認システムの処理手順を示すフローチャートである。
【符号の説明】
【００２８】
１  携帯電話機
２  電子決済通信端末
３  クレジット会社サーバ
４  ＩＣカード
５  通信回線
６，２３  表示手段
７  音声入力手段
８  音声発生手段
９  発光手段
１０  操作手段
１１，２８  送受信手段
１２，１７  インターフェース
１３，１９，２６  記憶手段
１４  電池
１５  無線通信手段
１６，１８，３０  制御手段
２０  クレジットアプリケーションプログラム
２１  メロディデータ
２２  クレジット番号
２７  クレジット処理完了信号送信制御手段
２９  クレジット処理手段
【図１】
2006091999.tif 000003
【図２】
2006091999.tif 000004
【図３】
2006091999.tif 000005
【図４】
2006091999.tif 000006